(57)【要約】【課題】  冷凍カニや冷凍エビなどの冷凍製品を熱収縮包装する際に、包装コストが安価であると共に、冷凍製品が包装された包装体から液が漏れないように熱収縮包装ができる冷凍製品用包装袋及び熱収縮包装体の製造方法を提供する。【解決手段】  熱収縮性フィルムからなる冷凍製品用包装袋であって、包装袋１０は、筒状フィルムの一方側が開口部１６を形成しており、他方側がシールされ、それに延設された手提げ部１８が形成されており、シールが、シール部２２と、前記包装袋内部の空気を排出するための未シール部２０を設けるように行われている。【選択図】  図１
2007112471.tif 000002
【特許請求の範囲】
【請求項１】
熱収縮性フィルムからなる冷凍製品用包装袋であって、
該包装袋は、筒状フィルムの一方側が開口部とされ、他方側がシールされていて、且つそれに延設された手提げ部１８が形成されており、該シールが、シール部２２と、前記包装袋内部の空気を排出するための未シール部２０を設けるように行われていることを特徴とする冷凍製品用包装袋。
【請求項２】
前記未シール部２０が、前記包装袋の両側縁付近に設けられていることを特徴とする請求項１記載の冷凍製品用包装袋。
【請求項３】
前記手提げ部１８には、手が入る程度の大きさの手提げ孔が設けられていることを特徴とする請求項１または２記載の冷凍製品用包装袋。
【請求項４】
前記冷凍製品が、冷凍された甲殻類であることを特徴とする請求項１、２または３記載の冷凍製品用包装袋。
【請求項５】
請求項１〜４のいずれかに記載の冷凍製品用包装袋の開口部から冷凍製品を包装袋内に挿入し、前記包装袋の前記開口部をヒートシールして封鎖し、しかる後に熱収縮させることを特徴とする冷凍製品の包装方法。
【請求項６】
請求項５記載の方法によって包装された冷凍製品包装体。
【発明の詳細な説明】
【技術分野】
【０００１】
本発明は、熱収縮性フィルムからなる冷凍製品用包装袋、冷凍製品の包装方法及びこの方法により包装された冷凍製品包装体に関する。
【背景技術】
【０００２】
カニやエビなどの食品の多くは、姿状のまま或いは片身、足身、尾身などに分割され、生のまま若しくは加熱調理された後、冷凍して流通される。このような冷凍製品は、流通時や陳列時における埃よけや、陳列された際に中身の形状がはっきりわかるようにすることなどの理由から熱収縮包装されて取り扱われることが多い（特許文献１参照）。
【０００３】
ところで、被包装物を熱収縮包装する場合には、熱収縮包装時に袋内の空気を外部に排出させなければならない。その方法として、（１）包装袋内の空気を脱気装置によって予め脱気しておいてから熱収縮包装する方法、（２）熱収縮時に袋内の空気が排出される排気孔を包装袋に設けておいて熱収縮包装する方法がある。
【０００４】
【特許文献１】実用新案登録第３０３６０３８号公報
【発明の開示】
【発明が解決しようとする課題】
【０００５】
しかしながら、（１）の予め脱気包装してから熱収縮包装する場合には、脱気装置が必要となり包装装置が高価であり大型となることから、製品の加工所などで手軽に包装する際に用いるには向いていないという問題がある。また、高速包装できないため包装コストが高くなってしまう。
一方、（２）の排気孔が設けられた包装袋を用いて熱収縮包装する場合には、安価で小型の装置を用いて手軽に包装することができる。しかしながら、冷凍製品を包装した場合、冷凍製品の一部が解凍されると、包装袋に設けられた排気孔から溶けた水分が漏れ出してしまうという問題がある。
【０００６】
そこで、本発明においては、手軽に熱収縮包装でき包装コストが安価であると共に、冷凍製品を熱収縮包装された包装体において冷凍製品の一部が解凍されても包装体から液が漏れ出すことないように熱収縮包装することができる冷凍製品用包装袋、冷凍製品の包装方法及び冷凍製品包装体を提供することを目的とする。
【課題を解決するための手段】
【０００７】
上記目的を達成するため、本発明は次の構成を備える。
すなわち、熱収縮性フィルムからなる冷凍製品用包装袋であって、該包装袋は、筒状フィルムの一方側が開口部とされ、他方側がシールされていて、且つそれに延設された手提げ部１８が形成されており、該シールが、シール部２２と、前記包装袋内部の空気を排出するための未シール部２０を設けるように行われていることを特徴とするものである。また、前記未シール部２０が、前記包装袋の両側縁に設けられていることが好ましく、また、前記手提げ部１８には、手が入る程度の大きさの手提げ孔が設けられていることが好ましい。さらに、前記冷凍製品が冷凍された甲殻類であることが好ましい。
また、上記いずれかの冷凍製品用包装袋の開口部から冷凍製品を包装袋内に挿入し、前記包装袋の前記開口部をヒートシールして封鎖し、しかる後に熱収縮させる冷凍製品の包装方法、及びこの方法によって包装された冷凍製品包装体に特徴を有するものである。
【発明の効果】
【０００８】
本発明の冷凍製品用包装袋は、シール部が未シール部を残して設けられていると共に、延設された手提げ部が形成されていることから、収縮包装の際には、脱気包装を必要としない手軽な装置で包装ができ、且つ安価に包装することができる。また、前記包装袋に冷凍製品を入れて熱収縮包装した熱収縮包装体は、手提げ部を持って扱われるようになることから必然的に未シール部が包装体の上側に位置することとなり、冷凍製品の一部が溶けて包装体内部に液が溜まっていても、液漏れすることなく包装体を取り扱うことができる。
【発明を実施するための最良の形態】
【０００９】
以下、本発明の冷凍製品用包装袋の実施の形態について図面に従って説明する。図１は本発明の一実施の形態を示す正面図である。
図１に示すように、本発明の冷凍製品用包装袋１０は、熱収縮性フィルムからなる筒状フィルムの一方側が開口部１６とされ、他方側がシールされていて、且つそれに延設された手提げ部１８が形成されており、シール部２２と、包装袋１０内部の空気を排出するための未シール部２０からなる該シールが施されていることを特徴とする。
【００１０】
本発明に使用される熱収縮性フィルムとしては、例えば、オレフィン系である高密度ポリエチレン、中密度ポリエチレン、低密度ポリエチレン、直鎖状低密度ポリエチレン、超低密度ポリエチレン、ポリプロピレン、ポリブテン−１、エチレン−酢酸ビニル共重合体などのポリオレフィン系樹脂や、ポリエチレンテレフタレート、ポリブチレンテレフタレート、軟質ポリ塩化ビニル、エチレン−メチルアクリレート共重合体、エチレン−メチルメタアクリレート共重合体、熱可塑性ポリウレタン、アイオノマー等から選ばれる一種、或いは複数種の合成樹脂からなる熱収縮性フィルムが挙げられる。そして、これらは単層フィルムであっても多層フィルムであってもよいが、ポリオレフィン系の多層フィルムが好ましい。なお、これらのフィルムには、必要に応じて各種充填材、着色剤、防曇剤、改質剤等を適宜添加することができる。
【００１１】
上記熱収縮性フィルムの熱収縮率は、８０℃のグリセリン中に２０秒間浸漬した後の収縮率が、包装袋にした場合の幅方向、長さ方向の少なくとも一方向において１５％以上、特には２０％以上の低温収縮性に優れたものが好ましい。８０℃における収縮率が１５％未満では、冷凍食品を包装する際に高温で収縮させる必要があるため好ましくない場合がある。また、冷凍カニのように突起部がある包装物を包装する場合、包装袋１０の熱収縮率が高いと、フィルムがカニの爪に押し付けられて破れることがあることから、突起部に押し付けられる方向の熱収縮率が、それに直交する方向の熱収縮率よりも小さい熱収縮性フィルムを使用するのが好ましい。
なお、上記熱収縮率は、熱収縮性フィルムを裁断して包装袋の幅方向、長さ方向ともに１００ｍｍの試験片を作成し、この試験片を８０℃のグリセリン恒温槽に２０秒間浸漬した後、試験片の寸法を測定して以下の式を用いて収縮率を算出したものをいう。
収縮率（％）＝１００×（１００−Ｌ）／１００
［Ｌ：８０℃のグリセリンに２０秒間浸漬させた後の試験片の長さ（ｍｍ）］
【００１２】
本発明の包装袋１０は、上述した熱収縮性フィルムを筒状にしたものを使用する。例えば、熱収縮性フィルムを半折し、溶断シールなど手段で筒状にしたものや、２枚のフィルムを重ねて、相対する一対の側縁を夫々シールして筒状にしたもの、あるいは、インフレーション成形等によりはじめから筒状に形成したものが挙げられる。
【００１３】
そして、筒状フィルムの一方側は開口部１６とし、他方側はシールされ、それに延設された手提げ部１８が形成されている。その際のシールは、シール部２２と、包装袋１０内部の空気を排出するための未シール部２０とが設けられるように行わなければならない。シール部２２と未シール部２０の比率について述べると、包装袋１０の幅に対して８０〜９５％にシール部が設けられ、残された未シール部が５〜２０％となるように設けられていることが良い。未シール部２０の幅が５％未満では、熱収縮時に包装袋１０内の空気が十分に排気できず、２０％を越えると空気が抜けやすくなり、美麗な包装ができないので好ましくない。また、未シール部２０は、一箇所だけでなく複数箇所設けることもできる。例えば、図１に示すように、包装袋１０の側縁１２、１２付近に各々未シール部２０、２０を設けた場合、未シール部２０、２０が包装袋１０の左右の側縁付近に存在するので、熱収縮時に一旦膨らんだ袋のエアが左右均等に抜け、フィルムの収縮速度が左右バランスよくなされて被包装物が包装袋の中央に位置するように包装することが可能となり好ましい。また、例えば冷凍カニなどの突起部を有する冷凍製品を包装する場合には、シール部の中央位置に未シール部がないので、カニの爪などの突起部が未シール部に入り込むことがなく、未シール部から被包装物がはみ出て包装されたり、未シール部に入った突起部をきっかけにシール部が破断したりすることがない。
【００１４】
手提げ部１８は、包装袋１０を熱収縮包装後の包装体を手提げ部１８を持って扱うことができるようにするだけでなく、包装体１０を置いた場合に、どちらを上にするかを示すための表示としても用いられる。すなわち、手提げ部１８を持って包装体を扱ったり、手提げ部を上にして置くことで、未シール部２０が常に上側（天側）に位置するようになり、包装体から液漏れするという問題を解決することができる。
【００１５】
さらに、手提げ部１８は幅広に設けるのが好ましい。そうすることによって、手提げ部１８に手持ち可能な大きさの手提げ用孔１８ａを設けることが可能となり、より運搬性を向上させることができる。また、熱収縮包装した後では、手提げ部１８の上下のフィルム同士が密着した状態となることで、外部から未シール部２０を通して包装体内部への異物等の侵入を抑止することができるという効果も有している。
【００１６】
以下に、本発明に係る冷凍製品用包装袋を用いて冷凍製品を熱収縮包装する方法について説明する。先ず、上述した冷凍製品用包装袋の開口部１６より冷凍製品を包装袋内部に挿入し、包装袋の開口部１６をヒートシールにより密封する。次いで、冷凍製品が入った包装袋１０を、加熱収縮トンネルを通すか、又は熱風吹きつけにより加熱して包装袋１０を熱収縮させる。熱収縮時には、包装袋１０内の空気は未シール部２０を通って外部に排出されると共に、熱収縮性フィルムが収縮し、被包装物にフィットした熱収縮包装がなされる。なお、加熱収縮トンネルに投入する際には、包装袋１０の未シール部２０が後から通過するように投入するのが、未シール部２０からのエアの排気がスムーズに行われるので好ましい。この際の加熱収縮トンネルの条件設定は適宜行われるが、通常、温度１３０〜１６０℃、時間３〜６秒であることが好ましい。このようにして、本発明の冷凍製品包装体を得ることができる。
なお、本発明に係る冷凍製品用包装袋の被包装物としては、冷凍製品であれば特に限定するものではないが、特に、冷凍されたエビやカニなどの甲殻類が好適である。
【実施例】
【００１７】
包装袋にした場合の幅方向の収縮率が２３％、長さ方向の収縮率が１５％（８０℃のグリセリン中に２０秒間浸漬した後の収縮率）であるポリオレフィン系多層熱収縮フィルムを用いて、幅２５０ｍｍ、長さ６５０ｍｍである図１に示すような包装袋１０を製造した。この際のシールは、包装袋の側端縁から１０ｍｍの所を始点として１０ｍｍ幅の未シール部２０を両側に各々設け、他はシール部２２となるように行った。また、手提げ部の長さは、１００ｍｍとなるようにした。
その包装袋１０の開口部から冷凍された状態のカニの片身を入れた後、ヒートシールによって開口部１６を密封し、そして、この包装体を、未シール部２０が後から通過するようにして加熱収縮トンネルに投入した。加熱収縮トンネルの温度は１４５℃に設定し、通過時間は１０秒間であった。このようにして熱収縮包装体を得た。
【００１８】
得られた熱収縮包装体は、内部の空気が排出されて冷凍カニにフィットした包装がされ、外観上好ましいものであった。また、包装体の内部に液が溜まっていても液漏れすることがなかった。包装された冷凍カニにも問題はなかった。
【図面の簡単な説明】
【００１９】
【図１】本発明に係る冷凍製品用包装袋の一実施の形態を示す正面図である。
【符号の説明】
【００２０】
１０  冷凍製品用包装袋
１２  側縁
１６  開口部
１８  手提げ部
２０  未シール部
２２  シール部
【図１】
2007112471.tif 000003